(57)【要約】  照射システムは、光拡散性材料で形成されている第１シート（１４００）であって、１対の互いに反対側の面部（１４１０、１４２０）と２対の互いに反対側の辺部（１４３０、１４４０）を画定していて、光が前記辺部の何れかに送り込まれると前記面部の少なくとも一方の面部（１４１０）から実質的に均一な照射を提供するように構成されている、第１シートと、光を前記１対の面部の第２の面部に向けて反射させるように構成されている第１反射層（１５００）と、光拡散性材料で形成されている第２シート（１７００）と、光を前記辺部の第１の辺部に送り込むように構成されている第１光源（１２１０）と、を備えているシステムを提供及び／又は利用することができる。【選択図】図２
2010538441.tif 000002
【特許請求の範囲】
【請求項１】
実質的に透明でファセット加工が施されていない溝無しの光拡散性のポリマー材料で形成されている実質的に平坦な第１シートであって、前記第１シートは、１対の互いに反対側の実質的に平坦な面部と２対の互いに反対側の実質的に平坦な辺部を画定していて、前記辺部のそれぞれは前記面部のそれぞれに垂直であり、前記第１シートは、光が前記辺部の何れかに送り込まれると前記面部の少なくとも一方の面部から実質的に均一な照射を提供するように構成されている、第１シートと、
前記１対の面部の第１の面部に実質的に平行に設置されていて、光を前記１対の面部の第２の面部に向けて反射させるように構成されている実質的に平坦な第１反射層と、
実質的に光拡散性の材料で形成されている実質的に平坦な第２シートであって、前記第２の面部に実質的に平行に設置されていて、前記第１シートから第１の所定のギャップだけ離されている第２シートと、
前記辺部の第１の辺部に実質的に隣接して設置されていて、光を同辺部に送り込むように構成されている第１光源と、を備えているシステム。
【請求項２】
前記第１シートに実質的に平行に設置されている実質的に平坦な基板であって、前記第１シートから第２の所定のギャップだけ離されている基板を更に備えている、請求項１に記載のシステム。
【請求項３】
前記第１シートに実質的に平行に設置されている実質的に平坦な基板であって、前記第１シートから第２の所定のギャップだけ離されていて、前記第１反射層を備えている基板を更に備えている、請求項１に記載のシステム。
【請求項４】
前記第１シートに実質的に平行に設置されている実質的に平坦な基板であって、前記第１シートから第２の所定のギャップだけ離されていて、前記第１光源によって発生する熱を放散させるように構成されたヒートシンクを備えている基板を更に備えている、請求項１に記載のシステム。
【請求項５】
前記第１シートに実質的に平行に設置されている実質的に平坦な基板であって、前記第１シートから第２の所定のギャップだけ離されていて、前記第１光源が取り付けられている基板を更に備えている、請求項１に記載のシステム。
【請求項６】
前記第１シートに実質的に平行に設置されている実質的に平坦な基板であって、前記第１シートから第２の所定のギャップだけ離されていて、前記第１光源を取り付け可能に受け入れるように構成されている空洞部を備えている基板を更に備えている、請求項１に記載のシステム。
【請求項７】
前記辺部の第２の辺部に実質的に平行に設置されていて、光を反射して前記第１シートに入射させるように構成されている実質的に平坦な第２反射層を更に備えている、請求項１に記載のシステム。
【請求項８】
前記第１の辺部は研磨されている、請求項１に記載のシステム。
【請求項９】
前記第１シートは、前記第１光源を少なくとも部分的に取り囲むように構成されている少なくとも１つの空洞部を備えている、請求項１に記載のシステム。
【請求項１０】
前記第１光源は、少なくとも１つの発光ダイオードを備えている、請求項１に記載のシステム。
【請求項１１】
前記第１光源は、発光ダイオードのアレイを備えている、請求項１に記載のシステム。
【請求項１２】
前記辺部の前記第１の辺部とは反対側の第３の辺部に実質的に隣接して設置されていて、光を同辺部に送り込むように構成されている第２光源を更に備えている、請求項１に記載のシステム。
【請求項１３】
前記システムに実質的に隣接して設置されていて、同システムからの望まれない照射を遮るように構成されている実質的に平坦なカバーを更に備えている、請求項１に記載のシステム。
【請求項１４】
実質的に前記第２の面部に向かう方向に向けられていて、同第２の面部による後方照明を受けた被射体の画像を捕捉するように構成されているマシンビジョンカメラを更に備えている、請求項１に記載のシステム。
【請求項１５】
実質的に前記第２の面部から離れる方向に向けられていて、同第２の面部による前方照明を受けた被射体の画像を捕捉するように構成されているマシンビジョンカメラを更に備えている、請求項１に記載のシステム。
【請求項１６】
前記第２の面部によって照射された被射体の画像を捕捉するように構成されているマシンビジョンシステムを更に備えている、請求項１に記載のシステム。
【請求項１７】
実質的に透明でファセット加工が施されていない溝無しの光拡散性のポリマー材料で形成されている実質的に平坦な第１シートであって、前記第１シートは、１対の互いに反対側の実質的に平坦な面部と２対の互いに反対側の実質的に平坦な辺部を画定していて、前記辺部のそれぞれは前記面部のそれぞれに垂直であり、前記第１シートは、光が前記辺部の何れかに送り込まれると前記面部の少なくとも一方の面部から実質的に均一な照射を提供するように構成されている、第１シートと、
実質的に光拡散性の材料で形成されている実質的に平坦な第２シートであって、前記第２の面部に実質的に平行に設置されていて、前記第１シートから第１の所定のギャップだけ離されている第２シートと、
前記システムに実質的に隣接して設置されていて、同システムからの望まれない照射を遮るように構成されている実質的に平坦なカバーと、
前記辺部の第１の辺部に実質的に隣接して設置されていて、光を同辺部に送り込むように構成されている第１光源と、
前記第１シートに実質的に平行に設置されていて、前記第１シートから第２の所定のギャップだけ離されている実質的に平坦な基板であって、前記第１光源は前記基板に取り付けられるように構成されている基板と、を備えており、前記基板は、
前記第１光源によって発生する熱を放散させるように構成されているヒートシンクと、
前記ヒートシンクの実質的に平坦な面部に設けられ、前記１対の面部の第１の面部に実質的に平行に設置されていて、光を前記１対の面部の第２の面部に向けて反射するように構成されている実質的に平坦な第１反射層と、を備えている、システム。
【請求項１８】
方法において、
システムによって照射された被射体の画像を捕捉する段階から成り、前記システムは、
実質的に透明でファセット加工が施されていない溝無しの光拡散性のポリマー材料で形成されている実質的に平坦な第１シートであって、前記第１シートは、１対の互いに反対側の実質的に平坦な面部と２対の互いに反対側の実質的に平坦な辺部を画定していて、前記辺部のそれぞれは前記面部のそれぞれに垂直であり、前記第１シートは、光が前記辺部の何れかに送り込まれると前記面部の少なくとも一方の面部から実質的に均一な照射を提供するように構成されている、第１シートと、
実質的に光拡散性の材料で形成されている実質的に平坦な第２シートであって、前記第２の面部に実質的に平行に設置されていて、前記第１シートから第１の所定のギャップだけ離されている第２シートと、
前記システムに実質的に隣接して設置されていて、同システムからの望まれない照射を遮るように構成されている実質的に平坦なカバーと、
前記辺部の第１の辺部に実質的に隣接して設置されていて、光を同辺部に送り込むように構成されている第１光源と、
前記第１シートに実質的に平行に設置されていて、前記第１シートから第２の所定のギャップだけ離されている実質的に平坦な基板であって、前記第１光源は前記基板に取り付けられるように構成されている、基板と、を備えており、前記基板は、
前記第１光源によって発生する熱を放散させるように構成されているヒートシンクと、
前記ヒートシンクの実質的に平坦な面部に設けられ、前記１対の面部の第１の面部に実質的に平行に設置されていて、光を前記１対の面部の第２の面部に向けて反射するように構成されている実質的に平坦な第１反射層と、を備えている、前記システムによって照射された被射体の画像を捕捉する段階から成る方法。
【請求項１９】
前記被射体に前記システムを介して後方照明を施す段階を更に備えている、請求項１８に記載の方法。
【請求項２０】
前記被射体に前記システムを介して前方照明を施す段階を更に備えている、請求項１８に記載の方法。
【請求項２１】
前記被射体に前記システムを介して側方照明を施す段階を更に備えている、請求項１８に記載の方法。
【発明の詳細な説明】
【技術分野】
【０００１】
本発明は、照射を提供するためのデバイス、システム、及び／又は方法に関する。
【背景技術】
【０００２】
（関連出願の相互参照）
本出願は、２００７年９月５日に出願された係属中の米国仮特許出願第６０／９７００６４号（弁理士管理番号第２００７Ｐ１９１８３ＵＳ）に対する優先権を主張し、同出願の全体をそのまま参考文献としてここに援用する。
【０００３】
カメラ撮影及び／又はマシンビジョンを用いる場合には、光源を介して被射体を照射することができる。光源からの光エネルギーは、光透過性のディフューザ材料によって拡散させることができる。被射体は、例えば背後からの散光などで照射されることになる。特定の用途では、照射を提供するための改良された照射デバイス、システム、及び／又は方法が望ましいことがある。
【先行技術文献】
【特許文献】
【０００４】
【特許文献１】米国仮特許出願第６０／９７００６４号
【発明の概要】
【０００５】
特定の例示的な実施形態は、光拡散性材料で形成されている第１シートであって、１対の互いに反対側の面部と２対の互いに反対側の辺部を画定していて、光が前記辺部の何れかに送り込まれると前記面部の少なくとも一方の面部から実質的に均一な照射を提供するように構成されている第１シートと、光を前記１対の面部の第２の面部に向けて反射させるように構成されている第１反射層と、光拡散性材料で形成されている第２シートと、光を前記辺部の第１の辺部に送り込むように構成されている第１光源と、を備えているシステムを提供及び／又は利用することができる。
【０００６】
添付の例示的な図面を参照しながら、以下の特定の例示的な実施形態の詳細な説明を読んで頂ければ、多種多様な実用化が見込める有用な実施形態が容易に理解頂けるであろう。
【図面の簡単な説明】
【０００７】
【図１】システム１０００の或る例示的な実施形態の正面図である。
【図２】図１のＡ−Ａ線に沿う断面図である。
【図３】図１のＡ−Ａ線に沿う断面図の一部である。
【図４】或る代わりの実施形態の、図１のＡ−Ａ線に沿う断面図の一部である。
【図５】或る代わりの実施形態の、図１のＡ−Ａ線に沿う断面図の一部である。
【図６】或る代わりの実施形態の、図１のＡ−Ａ線に沿う断面図の一部である。
【図７】或る代わりの実施形態の、図１のＡ−Ａ線に沿う断面図の一部である。
【図８】方法８０００の或る例示的な実施形態のフローチャートである。
【図９】システム９０００の或る例示的な実施形態のブロック図である。
【図１０】情報デバイスの或る例示的な実施形態のブロック図である。
【発明を実施するための形態】
【０００８】
カメラーをベースにした検査では、多くの場合、照明を所与の用途に合わせて最適化することが必要になる。照明の用途に合わせた最適化は、各部品の幾何学形状及び／又は仕上げが異なる場合、非常に難しくなることもある。
【０００９】
ダイレクト・パーツ・マーキング（ＤＰＭ）は、物品に、ドットピーニング、レーザーエッチング、モールド加工、及び／又はエンボス加工の様な、２つの異なる面状態を作り出すための方法によって、物理的に改変を加えることができるようにする技術である。
【００１０】
マーキングを施すと、基板上の滑らかな領域と粗い領域（又はくすんだ領域と艶やかな領域）、又は基板面の上方又は下方の「ドット」から構成された記号、の何れかによって作成された記号が得られる。ＤＰＭは、一般に、バーコード及び／又はデータ行列の様な行列記号論と共に用いられている。
【００１１】
記号の「マーク」要素と背景（基板）との間にコントラストが殆ど或いは全く見られないこともしばしばある。被射体の辺縁と背景との間にコントラストが殆ど或いは全く見られないこともしばしばある。コントラストは、特定の種類の照明及び／又は信号処理技法を用いることによって実現させることができる。
【００１２】
複合ビジョンアプリケーションは、１つ又はそれ以上の部品の或る特定の特徴を検査できるように構成することができる。特定の例示的な実施形態は、ビジョン検査システムのカメラレンズに近接して取り付けることができ、及び／又は、前方照明、側方照明、及び／又は後方照明を介するなどして光を検査される部品及び／又は構成要素に浴びせることができる。
【００１３】
特定の例示的な実施形態は、光拡散性材料で形成されている第１シートであって、１対の互いに反対側の面部と２対の互いに反対側の辺部を画定していて、光が前記辺部の何れかに送り込まれると前記面部の少なくとも一方の面部から実質的に均一な照射を提供するように構成されている第１シートと、光を前記１対の面部の第２の面部に向けて反射させるように構成されている第１反射層と、光拡散性材料で形成されている第２シートと、光を前記辺部の第１の辺部に送り込むように構成されている第１光源と、を備えている、照射システムの様なシステムを提供及び／又は利用することができる。
【００１４】
特定の例示的な実施形態は、マシンビジョン用途に使われる実質的に均一な照射システム及び／又は後方照明システムを作製するのに使用することができる。エンドライテン（ENDLIGHTEN）材料は、同材料の辺部に入射する光を向け直すこと及び／又は当該入射光を同材料の面上に均一に分配することができ、及び／又はディフューザは、エンドライテン材料の当該面から出力された光の均一性を、
単に光出力を拡散させることによって、
エンドライテンを掻き傷から保護して、周囲表面よりも遥かに明るく見えるようにすることによって、及び／又は、
光出力を拡散させる及び／又は防塵シールドとして働かせることにより、エンドライテン材料の表面に直に付着している異物（例えば塵）部分のエンドライテン材料の光輝照射をマスキングすることによって、
という３通りのやり方の何れかで増強することができる。
【００１５】
エンドライテン材料の下の反射面は、エンドライテン材料の下面から放射される無駄な光を、エンドライテン材料及びディフューザを通って所望の出力面に向かうように向け直して、光出力を上げることができる。反射面の反射率のレベルは、光出力の強さに影響を及ぼすことになる。
【００１６】
特定の例示的な実施形態の光出力は、反射性材料を、エンドライテン材料の何れか及び／又は全ての面に沿って、但し照射される領域及び光が光源からエンドライテン材料に入射する領域は外して、設置することによって増強することができるものと理解頂きたい。反射性材料は、無駄な光になってしまうはずのものをエンドライテン材料に戻るように向け直すことができる。
【００１７】
特定の例示的な実施形態では、この技法の光出力は、光が光源からエンドライテン材料に入射する面を研磨することによって増強することができる。
【００１８】
或る例示的な実施形態では、直接照射ユニットは、１００ｍｍＸ１００ｍｍの照射面積を有することができ、及び／又は適切な均一性を提供するのに１４４のＬＥＤ光源が必要になる。もう１つの例示的な実施形態では、上述の側方照明システム及び方法は、１００ｍｍＸ２００ｍｍの照射面積を提供することができ、及び／又は適切な均一性を提供するのに８つのＬＥＤ光源しか必要としない。
【００１９】
特定の例示的な実施形態は、側方放射光学器が組み込まれているＬＥＤを使用することができるので、ＬＥＤの上面を出射する光をＬＥＤの側方に向け直すのに二次的な光学器の必要性はなくなる。これにより、アッセンブリの構成要素の数を削減すること及び／又はアッセンブリを簡略化することができる。
【００２０】
特定の例示的な実施形態では、エンドライテン材料の下の反射面とエンドライテン材料の下面の間にギャップを設計することで、両面が接触すること及び／又はその様な接触によって光出力が非均一になってしまうことを防止することができる。
【００２１】
図１と図２に示すように、システム１０００は、第１光源１１００と第２光源１２００を備えることができ、それぞれはＬＥＤのアレイとして示されているが、何れか一方又は両方は、白熱灯、ハロゲン灯、蛍光灯、ネオン灯、離れた場所に置かれた供給源から光ファイバーで送られる光、及び／又はエレクトロルミネッセンスパネルなど、どの様な種類の照明１１１０、１２１０であってもよい。パワー回路１３００は、電力、制御信号、及び／又はセンサー信号を、光源１１００、１２００及び／又はシステム１１００に対して搬入及び／又は搬出することができる。
【００２２】
実質的に平坦なシート１４００は、エンドライテンの様な、実質的に透明でファセット加工が施されていない溝無しの光拡散性のポリマー材料で形成することができる。シート１４００は、１対の互いに反対側の実質的に平坦な面部１４１０、１４２０と、２対の互いに反対側の実質的に平坦な辺部１４３０と１４４０及び１４５０と１４６０を画定することができる。辺部１４３０、１４４０、１４５０、１４６０それぞれは、面部１４１０、１４２０それぞれに実質的に垂直の向きに配置させることができる。シート１４００は、光が辺部１４３０、１４４０、１４５０、１４６０の何れかに送り込まれると、面部１４１０から実質的に均一な照射を提供するように構成することができる。
【００２３】
シート１４００内の空洞、井戸、孔、及び／又はボア１４９０は、光源１１００の少なくとも１つの照明１１１０を少なくとも部分的に取り囲むことができる。光源１１００は、実質的に辺部１４３０に隣接して設置することもでき、及び／又は光を辺部１４３０の中へ送り込むように構成することもできる。
【００２４】
実質的に平坦な基板１６００は、シート１４００及び／又は面部１４２０に実質的に平行に設置することができる。光源１１００の少なくとも１つの照明１１１０は、基板１６００に取り付けることができ、基板は、光源１１００、１２００用の、実質的に平坦なアルミプレートの様なヒートシンクを備えることができ、及び／又はヒートシンクの役目を果たすことができる。シート１４００は、シート１４００によって放射された任意の光を途切れさせる及び／又は非均一にしてしまう可能性がある基板１６００との接触を回避するため、基板１６００から所定のギャップ１６２０だけ離しておくことができる。
【００２５】
基板１６００とシート１４００の間に、及び／又は面部１４２０に実質的に平行に、実質的に反射性を有し及び／又はシート１４００から放射された光の少なくとも一部を基板１６００の概略方向に反射してシート１４００の中へ戻すように構成されている、実質的に平坦な材料及び／又は層１５００を配置することができる。層１５００は、基板１６００と一体化させても、同基板に固着させても、又は同基板から離しておいてもよい。基板１６００とシート１４００の間に、及び／又は辺部１４３０、１４４０、１４５０、１４６０に実質的に平行に、実質的に反射性を有し及び／又はシート１４００の対応する辺部、例えば辺部１４３０などから又は同辺部に向けて放射された光の少なくとも一部を層１５３０の概略方向に反射してシート１４００の中へ戻すように構成されている、層１５３０の様な対応する実質的に平坦な材料及び／又は層を設置することができる。これらの層、例えば層１５３０などは何れも、基板１６００と一体化させても、同基板に固着させても、又は同基板から離しておいてもよい。途切れ及び／又は非均一化を防ぐために、辺部１４３０、１４４０、１４５０、１４６０は何れも研磨するか又は別に平滑化することもできる。
【００２６】
面部１４１０に実質的に平行に、実質的に光拡散性材料で形成された実質的に平坦なディフューザシート１７００を設置することができる。シート１７００は、シート１４００及び／又はシステム１０００によって放射された任意の光を途切れさせる及び／又は非均一にしてしまう可能性がある面部１４１０及び／又はシート１４００との接触を回避するため、面部１４１０及び／又はシート１４００から所定のギャップ１７２０だけ離しておくことができる。
【００２７】
面部１４１０及び／又はディフューザシート１７００に実質的に平行に及び／又は実質的に隣接して、光源からの光で意図された均一の照射領域を外れる望まれない光を遮るように構成されている、実質的に不透明な材料で形成された実質的に平坦なカバー１８００を設置することができる。カバー１８００は、システム配線を含むこともでき、及び／又は、異物が、ディフューザシート１７００、シート１４００、及び／又は光源１１１０の様な内部構成要素を傷つけるのを防止することができる。カバー１８００は、その様な構成要素の外側の辺部及び／又は面部を保護することができるが、被照射領域の上は開けておくこともでき、従って、必ずしもディフューザシート１７００及び／又はシート１４００の目に見える被照射領域及び／又は面全域を保護しているわけではない。
【００２８】
カメラ及び／又はマシンビジョンシステムは、光源１１００、１２００、及び／又はシステム１０００によって照射される被射物、構成部品、文書、ラベルなどの画像を捕捉及び／又は翻訳するように構成することができる。
【００２９】
図３は、図１のＡ−Ａ線に沿う断面図の一部であり、側方放射型ＬＥＤ１２１０がアクリルシート１４００に部分的に埋め込まれていることを示している。
【００３０】
図４は、或る代わりの実施形態の、図１のＡ−Ａ線に沿う断面図の一部であり、上方放射型でリード実装され回路基板が取り付けられているＬＥＤ１２１０が、アクリルーシートの互いに反対側の辺部の中へ向けられていることを示している。
【００３１】
図５は、或る代わりの実施形態の、図１のＡ−Ａ線に沿う断面図の一部であり、上方放射型で表面実装され回路基板が取り付けられているＬＥＤ１２１０が、アクリルーシートの互いに反対側の辺部の中へ向けられていることを示している。
【００３２】
図６は、或る代わりの実施形態の、図１のＡ−Ａ線に沿う断面図の一部であり、側方放射型で表面実装され回路基板が取り付けられているＬＥＤ１２１０が、アクリルーシートの互いに反対側の辺部の中へ向けられていることを示している。
【００３３】
図７は、或る代わりの実施形態の、図１のＡ−Ａ線に沿う断面図の一部であり、反射性材料１２９０で裏打ちされた蛍光管の様な一般的な光源１２１０が、アクリルーシートの互いに反対側の辺部の中へ向けられていることを示している。
【００３４】
図８は、方法８０００の或る例示的な実施形態のフローチャートである。活動８１００では、照射システムが、照射される被射体に対して位置付けられる。照射システムは、光拡散性材料で形成されている第１シートであって、１対の互いに反対側の面部と２対の互いに反対側の辺部を画定していて、光が前記辺部の何れかに送り込まれると前記面部の少なくとも一方の面部から実質的に均一な照射を提供するように構成されている第１シートと、光を前記１対の面部の第２の面部に向けて反射させるように構成されている第１反射層と、光拡散性材料で形成されている第２シートと、光を前記辺部の第１の辺部に送り込むように構成されている第１光源と、を備えることができる。
【００３５】
活動８２００で、被射体が、照射システムを介して照射される。照射は、１つ又はそれ以上の所定の角度からの照明を提供することができる。照射は、後方照明、前方照明、側方照明などを提供することができる。
【００３６】
活動８３００で、被射体の画像が、カメラ及び／又はマシンビジョンシステムで捕捉される。活動８４００で、画像が、カメラ及び／又はマシンビジョンシステムで分析及び／又は翻訳される。活動８５００で、画像が保存される。活動８６００で、被射体が検査される。
【００３７】
図９は、システム９０００の或る例示的な実施形態のブロック図であり、被射体９２００の画像を捕捉及び／又は翻訳するように構成されているマシンビジョンカメラ及び／又はマシンビジョンシステム９１００を示しており、被射体は、同被射体９２００の辺縁９２２０を照射するのを支援することができる後方照明システム９３００、及び／又は被射体９２００の露出面９２６０上のバーコード９２４０を照射するのを支援することができる前方照明及び／又は側方照明システム９４００の様な照射システムで照射されることになる。カメラ９１００は、ユーザーインターフェース９６２０、ユーザープログラム９６４０、及び／又はメモリデバイス９６６０を備えることができるマシンビジョン情報デバイス９６００に、ネットワーク９５００を介して連結することができる。ユーザープログラム９６４０は、カメラ及び／又はマシンビジョンシステム９１００から受け取った画像情報を処理するように構成することができる。ユーザーインターフェース９６２０は、ユーザープログラム９６４０に関する情報、及び／又はカメラ及び／又はマシンビジョンシステム９１００から取得した画像情報をレンダリングするように構成することができる。メモリデバイス９６６０は、画像情報、及び／又は後方照明システム９３００、及び／又は前方照明及び／又は側方照明システム９４００の様な照射システムの制御に関する情報を保存するように構成することができる。
【００３８】
照明制御装置９７００は、プロセッサを備えることができるもので、後方照明システム９３００、及び／又は前方照明及び／又は側方照明システム９４００の様なそれぞれの照射システムを制御することができる。照明制御装置９７００は、それぞれの照射システムの任意の光源及び／又は光源のサブセットを、点灯させる、消灯させる、及び／又は、輝度及び／又は持続期間を変えるように構成することができる。
【００３９】
図１０は、情報デバイス１００００の或る例示的な実施形態のブロック図であり、同デバイスは、特定の動作的な実施形態では、例えば、図９のマシンビジョンシステム９１００、マシンビジョン情報デバイス９６００、及び／又は照明制御装置９７００を備えることができる。情報デバイス１００００は、例えば、１つ又はそれ以上のネットワークインターフェース１０１００、１つ又はそれ以上のプロセッサ１０２００、命令１０４００を保有している１つ又はそれ以上のメモリ１０３００、１つ又はそれ以上の入力／出力（Ｉ／Ｏ）デバイス１０５００、及び／又はＩ／Ｏデバイス１０５００に連結されている１つ又はそれ以上のユーザーインターフェース１０６００の様な、多くの構成要素の何れを備えることもできる。
【００４０】
特定の例示的な実施形態では、グラフィカルユーザーインターフェースの様な１つ又はそれ以上のユーザーインターフェース１０６００を介して、ユーザーは、ここに記載されているシステム、製品、サービス、方法、及び／又は情報の何れについても、その研究、設計、モデル化、制作、開発、建築、製造、運用、制御、保守、保存、市場売買、販売、配達、選択、特定、要求、注文、受取、返却、評定、及び／又は推奨に関係する情報のレンダリングを見ることができる。
【００４１】
当業者には、特定の例示的な実施形態に関する上で述べた及び／又はここに含まれている詳細な説明及び／又は図面を見て頂ければ、更に他の実質的及び特定的に実用的且つ有用な実施形態が容易に明白になるであろう。多くの変更、修正、及び更なる実施形態も可能であり、従って、その様な変更、修正、及び実施形態の全ては、本出願の範囲に含まれるとみなされるべきものと理解頂きたい。
【００４２】
而して、本出願の何れの部分（例えば、発明の名称、技術分野、背景技術、発明の概要、詳細な説明、要約書、図面など）の文脈とも関係なく、何れの請求項に関しても、それが本出願の請求項であるか及び／又は本出願に対する優先権を主張している何れかの出願の請求項であるかに関わらず、そして、元から提出されているかそうでないかに関わらず、明示的な定義、断定、又は主張を介するなどにより、別途明白に指定されない限り、
何れの特定の説明され又は図示されている特徴、機能、活動、又は要素、又は何れの特定の活動順序、又は何れの特定の要素間相互関係についても、その包含に関する必要条件は存在せず、
何れの要素も、一体化し、分離し、及び／又は重複させることができ、
何れの活動も、繰り返すこと、複数の実在物によって行うこと、及び／又は複数の管轄区域で行うことができ、
何れの活動又は要素も、特定的に除外することでき、活動順序は変えることができ、及び／又は要素間相互関係は変えることができる。
【００４３】
更に、何らかの数又は範囲がここに記述されている場合、別途明白に記載のない限り、当該の数又は範囲は大凡である。何らかの範囲がここに記述されている場合、別途明白に記載のない限り、当該の範囲は、範囲内の全ての値と範囲内の全ての部分範囲を含む。例えば、１から１０までの範囲と記述されている場合、当該の範囲は、それらの間の全ての値、例えば、１．１、２．５、３．３３５、５、６．１７９、８．９９９９などを含み、それらの間の全ての部分範囲、例えば、１から３．６５まで、２．８から８．１４まで、１．９３から９まで、などを含む。
【００４４】
何れかの請求項の要素に図面要素番号が付されている場合、当該の図面要素番号は、例示であり、請求項の範囲を何ら制限するものではない。
【００４５】
ここに参考文献として援用されている何れの資料（例えば、米国特許、米国特許出願、書籍、論文など）の何れの情報も、その様な情報とここに記載されている他の記述及び図面との間に矛盾が存在しない範囲においてのみ参考文献として援用される。本明細書の又はこれに対する優先権を求めている何れの請求項についても、それを無効としかねない矛盾を含め、その様な矛盾が起こった場合は、その様な資料の何であれその様な矛盾する情報は、本明細書に参考文献として援用しないことを明確に述べる。
【００４６】
従って、本出願の、特許請求の範囲そのものを除く全ての部分（例えば、発明の名称、技術分野、背景技術、発明の概要、詳細な説明、要約書、図面など）は、事実上、説明を目的としており、限定を課すものではない。
【図１】
2010538441.tif 000003
【図２】
2010538441.tif 000004
【図３】
2010538441.tif 000005
【図４】
2010538441.tif 000006
【図５】
2010538441.tif 000007
【図６】
2010538441.tif 000008
【図７】
2010538441.tif 000009
【図８】
2010538441.tif 000010
【図９】
2010538441.tif 000011
【図１０】
2010538441.tif 000012
【国際調査報告】
2010538441.tif 000013
2010538441.tif 000014
2010538441.tif 000015